(57)【要約】      （修正有）【課題】害虫を退治するため、どこでも誰でも、使いやすいよう軽い素材の害虫たたきを提供する。【解決手段】把手部の上端に平板状のうちわの骨組みを設け、ネットをはったネット式うちわ型である。素材は合成樹脂を使用したシンプルな素材にすることで、簡単に水洗いでき、常に清潔に保つことができる。また、電源を必要としないので安全で、使用する場所を選ばない。使用者の好みにあわせて色や形を変更できるので、デザイン性、利便性に優れた害虫たたきである。【選択図】図１
0003155562.tif 000002
【実用新案登録請求の範囲】
【請求項１】
うちわの骨組み（１）にネット（２）を張った害虫たたき。
【請求項２】
以下のことを特徴とする請求項1に記載の害虫たたき。
（ａ）上記のネット（２）の素材は合成樹脂を使用する。網目の大きさは害虫を通さず、スカシやロゴを読み取り可能に描ける密度のものとする。ネット（２）は多数の小孔を有したシート状のものも含む。ネットの色は、変更可能なものとする。
（ｂ）骨組み（１）は害虫をたたくのに十分な程度の強度の平板状の枠とする。素材は合成樹脂を使用し、色は変更可能なものとする。
（ｃ）把手部（３）は合成樹脂を使用し、ロゴおよび図柄を印刷可能な大きさのものとし、色は変更可能なものとする。
（ｄ）以上のような形状のネット（２）とうちわの骨組み（１）をずれないようにしっかり固定する。固定方法は熱による圧着やテープやボンドやのりによる接着剤又は糸やステイプラーによるものとする。または、うちわの骨組み（１）とネット部（２）、把手部（３）が一体化した構造のものとする。
【請求項３】
以下のことを特徴とする請求項２に記載の害虫たたき。
（ａ）ネット（２）の外形は害虫をたたくのに十分な程度の大きさのものとし、扇形、ハート形、星形、丸形、楕円形、ひし形、三角形、四角形、動物形や植物形、乗物形に変更可能なものとする。
（ｂ）骨組み（１）の外形は害虫をたたくのに十分な程度の大きさのものとし、ネット（２）にあわせて扇形、ハート形、星形、丸形、楕円形、ひし形、三角形、四角形、動物形や植物形、乗物形に変更可能なものとする。
【考案の詳細な説明】
【技術分野】
【０００１】
この発明は、害虫たたきに関するものである。
【背景技術】
【０００２】
従来の害虫たたきは、ラケット形電気式で焼き殺し退治するものや、うちわと兼用のものであった。
【先行技術文献】
【特許文献】
【０００３】
【特許文献１】特許公開２００２−２８１８８２号公報
【特許文献２】特許公開平１０−１９１８６４号公報
【考案の概要】
【考案が解決しようとする課題】
【０００４】
これらには、次のような欠点があった。
（イ）上記特許文献１のラケット型害虫たたきは、害虫を焼き殺すため臭いが気になってしまう。また、電気を通すため電池が必要になり、維持経費もかかり、電池の重みもあり小さな子どもが使うことは危険であった。
（ロ）上記特許文献２のうちわ兼用害虫たたきは、害虫を駆除する際にうちわ部の取り外しが必要となり、はずそうとしているうちに逃げられてしまったり、せっかく駆除できても、害虫の体液が付着したままうちわとして使用するため不衛生であった。
本考案は、以上のような欠点をなくすためになされたものである。
【課題を解決するための手段】
【０００５】
本考案は、ネット等の害虫たたき部と平板状のうちわ状の骨組みからなる。また、金属等を使用せず、合成樹脂等の軟質な素材を使うことで、うちわの柄をもち軽く仰ぐと鞭のようにしなり、害虫を簡単に駆除できる。さらに本考案は、どの部分も合成樹脂というシンプルな素材で構成されているため、害虫を駆除した際についた体液等は、水洗いでき、簡単に清潔に保てることを特徴とする。本考案による害虫たたきは、老若男女使いやすいよう、着脱の手間も電源も不要で、軽くて持ち運びしやすい素材である。また、害虫たたき部には、様々な色やスカシやロゴを入れたり、ハートや星、楕円形、四角形など、うちわの形にこだわることない独創的なデザインを有することも可能で、使用者が興味をしめしやすいように改良した害虫たたきである。さらに、害虫たたき部の「ネット」は多数の小孔を有したシート状のものも含み、使用者が使いやすいよう改良できる実用性に優れた、害虫たたきである。
【考案の効果】
【０００６】
(イ)従来のうちわのような紙製のもので駆除しようとすると、空気抵抗が大きくスピードが出ず逃げられてしまうことが多かった。本考案では害虫たたき部をネットにしたことで空気抵抗が少なく、大変軽く鞭のようにしなり、すばやく撃退できる。また、ぷーんと嫌な音を出して飛んでいる害虫が、はっきりどこにいるのかわからなくても、いそうなところに勢いよく仰ぐことで簡単に退治できる。さらに、壁やカーテン等にとまっている害虫にも大変有効で確実に退治できる。
(ロ)着脱の手間がなく、すばやく退治できるので失敗がほとんどない。
(ハ)合成樹脂を使うことで、害虫駆除後についた体液等を簡単に洗い流すことができる。
(ニ)匂いもなく殺虫成分を使用しないので、衛生管理に厳しい場所、たとえば病院や介護施設、食堂や食品工場または乳幼児の多い幼稚園や保育所でも安心して使用できる。
(ホ)素材が軽いので、老若男女問わず、簡単に持ち運び蚊を退治できる。
(へ)電源を使用しないため使う場所が限定されず、維持管理費も大変安価ですむ。
(ト)害虫たたきのネット部にすかしロゴをいれたり、ハートや星、楕円形、四角など様々な独創的な形や色にして、従来のうちわや害虫たたきの概念を越えることで、使用者に害虫たたきに関して嫌な印象を与えず、興味を持って使ってもらえる。
【図面の簡単な説明】
【０００７】
【図１】本考案の正面図である。
【図２】本考案の使用写真である。
【図３】本考案の独創的な変形デザイン例である。
【考案を実施するための形態】
【０００８】
以下、本考案を実施する最良の形態について説明する。
害虫たたき部にはネット（２）を使用する。素材は合成樹脂を使用し、安価で耐久性に優れた素材を使用する。網目の粗さは害虫を通さない程度の細かなものとし、使用者の好みにあわせて図３のようにスカシやロゴをいれたり、様々な色に変更できる。（１）骨組みは害虫をたたくのに十分な程度の強度の枠とする。素材は同じく合成樹脂を使用し、同じく色を変更したり、適宜形も変更できる。なお、図１はうちわ型、図３はハート型の害虫たたきを示したが、骨組み（１）およびネット（２）の外形は様々なバリエーションを持たせることができる。たとえば、ひし形、三角形、四角形のような図形にしたり、犬や猫、花などの動植物、又は自動車等の乗り物の形にしたりすることもできる。把手部（３）にもロゴ等を入れることができる。以上のような形状のネット（２）と平板状のうちわの骨組み（１）をずれないようにしっかり固定する。固定方法は熱による圧着やテープやボンドやのり等の接着剤又は糸やステイプラーによるものか、うちわの骨組み（１）とネット部（２）と把手部（３）が一体化した構造でもよい。本考案は以上のような構造である。これを使用するときは、うちわの把手部（３）をもって蚊のいそうなところに、勢いよく振り回せばよい。そうすると図２のように、害虫がうまく網目に捕らえられ簡単に安全に駆除できる。また、害虫駆除後に付着した体液等は水等で簡単に洗い流せばよい。
【符号の説明】
【０００９】
１  うちわの骨組み
２  ネット
３  把手部
【図１】
0003155562.tif 000003
【図２】
0003155562.tif 000004
【図３】
0003155562.tif 000005